(57)【特許請求の範囲】
【請求項１】
玩具ブロックに装着可能な鋸歯構造物において、
前記鋸歯構造物は外部鋸歯構造物；及び内部鋸歯構造物；を含み、
前記外部鋸歯構造物は、幅が広くて長さが短い円柱形の外部形状を有し、内部形状は中間以上の部分を切断した半円錐状の前記内部鋸歯構造物を受容する受容空間部を有し、内部面の一領域以上には少なくとも２つ以上の内側鋸歯を含む内側鋸歯部が形成されており、外部面の一領域以上には少なくとも２つ以上の表面鋸歯を含む表面鋸歯部が形成されており、
前記内部鋸歯構造物は、前記外部鋸歯構造物の前記受容空間部に完全に受容され、その外部面の一領域以上には前記内側鋸歯部に対応される少なくとも２つ以上の外側鋸歯を含む外側鋸歯部と少なくとも２つ以上の表面鋸歯を含む表面鋸歯部が形成されており、
前記外部鋸歯構造物及び前記内部鋸歯構造物が相互協応して微細な角度調節を可能にしたことを特徴とする鋸歯構造物。
【請求項２】
請求項１において、
前記外部鋸歯構造物の内側鋸歯部は、前記外部鋸歯構造物の内部面に形成され、前記内部鋸歯構造物の外側鋸歯部は前記内部鋸歯構造物の外部面に形成され、前記外部鋸歯構造物の内側鋸歯部は、内側鋸歯領域と内側非鋸歯領域に区分され、前記内部鋸歯構造物の外側鋸歯部は、外側鋸歯領域と外側非鋸歯領域に区分されたことを特徴とする鋸歯構造物。
【請求項３】
請求項２において、
前記外部鋸歯構造物の内側非鋸歯領域が前記内部面に占める平面面積は、前記外部鋸歯構造物の内側鋸歯領域が前記内部面に占める平面面積より予め設定された比率以上に大きく、
前記内部鋸歯構造物の外側非鋸歯領域が前記外部面に占める平面面積は、前記内部鋸歯構造物の外側鋸歯領域が前記外部面に占める平面面積より予め設定された比率以上に大きいことを特徴とする鋸歯構造物。
【請求項４】
請求項３において、
前記予め設定された比率は１を超過し、１０未満であることを特徴とする鋸歯構造物。
【請求項５】
請求項１において、
前記内部鋸歯構造物が前記外部鋸歯構造物の内部で回転できるように、前記外部鋸歯構造物と前記内部鋸歯構造物は離隔され、前記内部鋸歯構造物の外側鋸歯領域は前記外部鋸歯構造物の内側鋸歯領域を乗り越えられることを特徴とする鋸歯構造物。
【請求項６】
請求項３において、
前記外部鋸歯構造物の内側鋸歯部を構成する内側鋸歯の数と前記内部鋸歯構造物の外側鋸歯部を構成する外側鋸歯の数の比は１：１であることを特徴とする鋸歯構造物。
【請求項７】
請求項３において、
前記外部鋸歯構造物の内側鋸歯部を構成する内側鋸歯の数と前記内部鋸歯構造物の外側鋸歯部を構成する外側鋸歯の数の比は１：ｎまたは１：１/ｎ（ｎは２以上４以下の自然
数）であり、前記外部鋸歯構造物の内側鋸歯の数が前記内部鋸歯構造物の外側鋸歯の数より多い場合、前記内部鋸歯構造物の外側非鋸歯領域が前記内部鋸歯構造物の外側鋸歯領域より十分に大きく、前記内部鋸歯構造物の外側鋸歯の間に少なくとも２以上の外部鋸歯構造物の内側鋸歯が入ることができ、前記内部鋸歯構造物の外側鋸歯の数が前記外部鋸歯構造物の内側鋸歯の数より多い場合、前記外部鋸歯構造物の内側非鋸歯領域が前記外部鋸歯構造物の内側鋸歯領域より十分に大きく、前記外部鋸歯構造物の内側鋸歯の間に少なくとも２以上の内部鋸歯構造物の外側鋸歯が入れることを特徴とする鋸歯構造物。
【請求項８】
請求項１において、
前記外部鋸歯構造物の内側鋸歯または前記内部鋸歯構造物の外側鋸歯の何れか１以上の鋸歯は左右対称な形態であることを特徴とする鋸歯構造物。
【請求項９】
請求項１において、
前記外部鋸歯構造物の内側鋸歯または前記内部鋸歯構造物の外側鋸歯の何れか１以上の鋸歯は左右非対称な形態であることを特徴とする鋸歯構造物。
【請求項１０】
請求項９において、
前記外部鋸歯構造物の内側鋸歯及び前記内部鋸歯構造物の外側鋸歯が左右非対称な形態である場合、前記外部鋸歯構造物の内側鋸歯及び前記内部鋸歯構造物の外側鋸歯が対応する方式は、ある一方向への回転抵抗は最小化し、反対方向への回転抵抗は最大化される方式に配置されることを特徴とする鋸歯構造物。
【請求項１１】
請求項１において、
前記外部鋸歯構造物の内側鋸歯の数と前記外部鋸歯構造物の表面鋸歯の数は同一であり、前記外部鋸歯構造物の内側鋸歯と前記外部鋸歯構造物の表面鋸歯が配列される方式は、前記外部鋸歯構造物の内側鋸歯と前記外部鋸歯構造物の表面鋸歯が同一な位置に配列される第１配列方式及び前記外部鋸歯構造物の内側鋸歯の間に前記外部鋸歯構造物の表面鋸歯が配列される第２配列方式の何れか１であることを特徴とする鋸歯構造物。
【請求項１２】
請求項１において、
前記外部鋸歯構造物の内側鋸歯の数と前記外部鋸歯構造物の表面鋸歯の数は異なり、前記内側鋸歯と前記表面鋸歯が配列される方式は、前記内側鋸歯の間に前記表面鋸歯が配列される方式であることを特徴とする鋸歯構造物。
【請求項１３】
請求項１において、
前記内部鋸歯構造物の外側鋸歯の数と前記内部鋸歯構造物の表面鋸歯の数は同一である
か、前記外側鋸歯の数が前記表面鋸歯の数より大きいことを特徴とする鋸歯構造物。
【請求項１４】
請求項１において、
前記内部鋸歯構造物は半円錐形であり、内部に少なくとも１以上の磁石が受容できる予め設定された大きさ以上の磁石受容部を含む空間が備えられたことを特徴とする鋸歯構造物。
【請求項１５】
請求項１において、
前記外部鋸歯構造物の内部面の下部には引っかかり部が形成され、前記内部鋸歯構造物が前記外部鋸歯構造物に受容される場合、前記引っかかり部によって外へ離脱されないようにしたことを特徴とする鋸歯構造物。
【請求項１６】
請求項１において、
前記外部鋸歯構造物の下部の周辺部に前記外部鋸歯構造物をブロックに固定させる固定力強化部がさらに含まれていることを特徴とする鋸歯構造物。
【請求項１７】
請求項１６において、
前記固定力強化部は前記周辺部に形成される少なくとも１段以上の段差部を含んでおり、前記段差部は少なくとも一部分において前記外部鋸歯構造物の半径よりさらに大きい半径を有する部位を含んでおり、前記段差部は少なくとも２種類以上の半径を有する部位を含むことを特徴とする鋸歯構造物。
【請求項１８】
請求項１７において、
前記段差部は第１段差部及び少なくとも１以上の第２段差部を含み、前記第１段差部の最大半径は前記第２段差部の最大半径よりさらに大きく、前記第１段差部は外部鋸歯構造物の表面鋸歯部側に前記第２段差部より近く配置されており、前記外部鋸歯構造物の表面鋸歯部側から遠くなる際に前記第１段差部の半径が狭くなる比率は、前記第２段差部の半径が狭くなる比率よりさらに大きいことを特徴とする鋸歯構造物。
【請求項１９】
請求項１において、
前記鋸歯構造物は玩具ブロックの複数の箇所に形成された磁石受容溝に磁石と一緒に受容され、前記外部鋸歯構造物は１つの側面に開口形成され、１つの側面と対向する他側面に前記磁石が外部に露出される露出孔が貫通形成されており、前記外部鋸歯構造物が前記磁石受容溝の内面と接触されながら、前記磁石受容溝に挿入され；前記内部鋸歯構造物は前記外部鋸歯構造物の内部に前記外部鋸歯構造物の高さ方向に沿って移動可能に配置され、前記玩具ブロックが互いに接合する際にその上段の一部が前記露出孔を通じて外部に突出され、１つの側面に前記磁石受容溝から前記磁石が離脱されないようにする離脱防止部を備えることを特徴とする鋸歯構造物。
【請求項２０】
請求項１９において、
前記外部鋸歯構造物に形成された前記露出孔の周縁部には折曲形成された折曲部が備えられ、前記内部鋸歯構造物の上面には前記玩具ブロックが互いに接合する際に前記露出孔を通じて外部に突出される突出部と、前記折曲部に引っかかる引っかかり部が形成されることを特徴とする鋸歯構造物。
【請求項２１】
請求項２０において、
前記引っかかり部と接触される折曲部の下面には鋸歯形状の外部鋸歯構造物の内側鋸歯が形成され、前記引っかかり部の上面には前記外部鋸歯構造物の内側鋸歯と噛み合う内部鋸歯構造物の外側鋸歯が形成され、前記突出部の上面には前記玩具ブロックが互いに接合する際に隣り合う突出部に形成された突出鋸歯と噛み合う突出鋸歯が形成されることを特
徴とする鋸歯構造物。
【請求項２２】
請求項２１において、
前記内部鋸歯構造物の外側鋸歯の鋸歯と突出鋸歯の鋸歯は、放射方向に沿って互いに重ならないように交互に配置されることを特徴とする鋸歯構造物。
【請求項２３】
請求項１９において、
前記内部鋸歯構造物の１つの側には前記内部鋸歯構造物が前記外部鋸歯構造物の内部で回転されるのを防止できる転覆防止部が備えられたことを特徴とする鋸歯構造物。
【請求項２４】
請求項２３において、
前記転覆防止部は前記外部鋸歯構造物の内面と接触される前記内部鋸歯構造物の外面の高さが一定の高さ以上になるように、前記内部鋸歯構造物の下部にその高さ方向に沿って一定の長さに延長形成された延長部材とからなることを特徴とする鋸歯構造物。
【請求項２５】
請求項２４において、
前記延長部材の内面には前記磁石受容溝に受容された磁石の一面が前記露出孔を通じて外部に露出される際に前記磁石の移動を案内するガイド溝が形成されたことを特徴とする鋸歯構造物。
【請求項２６】
請求項１９において、
前記磁石の角部は曲線状に形成され、前記離脱防止部はその下面が前記磁石の角部に対応する形状に曲線状に形成され、前記離脱防止部は前記内部鋸歯構造物の半径方向に沿って突出するように前記内部鋸歯構造物の上部内側壁に形成された離脱防止止めとからなることを特徴とする鋸歯構造物。
【請求項２７】
請求項２６において、
前記ブロックの前記磁石受容溝の内側面には引っかかり溝が凹んで形成され、前記外部鋸歯構造物が前記磁石受容溝に挿入された状態が保てるように前記引っかかり溝に挿入される引っ掛かり突起が前記外部鋸歯構造物の外面の１つの側に備えられたことを特徴とする鋸歯構造物。
【請求項２８】
請求項２７において、
前記引っかかり突起の外面には前記外部鋸歯構造物を前記磁石受容溝に容易に挿入できるようにする二重折曲面が形成されたことを特徴とする鋸歯構造物。
【請求項２９】
請求項２１において、
前記外部鋸歯構造物の内側鋸歯と前記内部鋸歯構造物の外側鋸歯が各々形成された前記外部鋸歯構造物と前記内部鋸歯構造物の相互接触面は、前記露出孔に向けて上方向に傾くように形成されたことを特徴とする鋸歯構造物。
【請求項３０】
請求項１乃至２９の何れか一項の鋸歯構造物を含むことを特徴とする玩具ブロック。
【請求項３１】
請求項３０において、
前記玩具ブロックは多面体であり、前記多面体を構成する多面の何れか１面以上に前記鋸歯構造物が装着されていることを特徴とする玩具ブロック。
【請求項３２】
請求項３１において、
前記多面体は少なくとも１以上の平面を必ず含んでおり、選択的に少なくとも１以上の曲面を含めることを特徴とする玩具ブロック。
【発明の詳細な説明】
【技術分野】
【０００１】
本発明は、鋸歯構造物及びその構造物を含む玩具ブロック及びその玩具ブロックを含む玩具セットに関するもので、詳しくは外部鋸歯構造物と内部鋸歯構造物が相互作用し、結合角の微細な調節機能をサポートする鋸歯構造物及びその構造物を含む玩具ブロック及びその玩具ブロックを含む玩具セットに関するものである。
【背景技術】
【０００２】
これまで磁石を活用した玩具ブロックは数多く流通されている。このような玩具ブロックらは磁力を通した結合力を活用するのが共通した特徴である。この際、玩具ブロックらに磁石をどう結合させるかと結合のための構造が重要であるが、従来は主にキャップ方式を使用するものが多かった。しかし、このようなキャップ方式を活用した磁石ブロックには、表面にのみ鋸歯構造を有するものが多く、このようなブロックは構成物を作る際に多くの問題点があった。
【０００３】
まず、キャップ方式を活用した磁石ブロックは積み上げる際には問題ないが、立体的に組み立てる際には小さなショックにも崩れやすく、構成物そのものが壊れてしまい、その形態を長く持続させることが難しいという問題点があった。
【０００４】
また、表面にのみ鋸歯構造を有する磁石ブロックは、例えば三角、四角、五角ブロックなどの構成物を作る際に角が合わず構成物の完成度が低く、立体的な構成物を完成させるのに限界があった。
【０００５】
つまり、結合角を精密に調節することができず、ブロックらの結合で生成される結合面またはブロックらが延長される面が色んな角度から見たときに滑らかではない場合が多く、構成物の外部表面が凸凹になる問題点があった。
【０００６】
従って、ブロックとの結合角度を精密に調整でき、ブロックらの結合で生成される結合面
またはブロックらが延長される面が色んな角度からみて滑らかに形成され、外から見たときにきれいな構成物の発明の開発が望まれていた。
【発明の概要】
【発明が解決しようとする課題】
【０００７】
本発明が解決しようとする第１課題は、微細結合角度調節機能を有する鋸歯構造物を提示することである。
【０００８】
本発明が解決しようとする第２課題は、微細結合角度調節機能を有する鋸歯構造物を含む玩具ブロックを提示することである。
【０００９】
本発明が解決しようとする第３課題は、微細結合角度調節機能を有する鋸歯構造物を含む多数の玩具ブロックを含む玩具セットを提示することである。
【課題を解決するための手段】
【００１０】
本発明の課題を達成するために、玩具ブロックに装着可能な鋸歯構造物において、前記鋸歯構造物は外部鋸歯構造物；及び内部鋸歯構造物；を含んでおり、前記外部鋸歯構造物の内部面１領域には少なくとも２以上の外部鋸歯構造物の内側鋸歯を含む外部鋸歯構造物の内側鋸歯部が形成されており、前記内部鋸歯構造物の外部面１領域には前記外部鋸歯構造物の内側鋸歯部に対応され、少なくとも２以上の内部鋸歯構造物の外側鋸歯を含む内部鋸歯構造物の外側鋸歯部が形成されていることを特徴とする鋸歯構造物を提供する。
【００１１】
前記外部鋸歯構造物の内側鋸歯部は、前記外部鋸歯構造物の内部面に形成されており、前記内部鋸歯構造物の外側鋸歯部は前記内部鋸歯構造物の外部面に形成されている。前記外部鋸歯構造物の内側鋸歯部は、外部鋸歯構造物の内側鋸歯領域と外部鋸歯構造物の内側非鋸歯領域に区分される。前記内部鋸歯構造物の外側鋸歯部は、内部鋸歯構造物の外側鋸歯領域と内部鋸歯構造物の外側非鋸歯領域に区分される。
【００１２】
前記外部鋸歯構造物の内側非鋸歯領域が前記内部面に占める平面面積は、前記外部鋸歯構造物の内側鋸歯領域が前記内部面に占める平面面積より予め設定された比率以上に大きく、前記内部鋸歯構造物の外側非鋸歯領域が前記外部面に占める平面面積は前記内部鋸歯構造物の外側鋸歯領域が前記外部面に占める平面面積より予め設定された比率以上に大きいのが好ましい。
【００１３】
前記予め設定された比率は１を超過し、１０未満であることが好ましい。
【００１４】
前記内部鋸歯構造物が前記外部鋸歯構造物の内部で回転できるように、前記外部鋸歯構造物と前記内部鋸歯構造物は離隔されており、前記内部鋸歯構造物の外側鋸歯部の内部鋸歯構造物の外側鋸歯領域は、前記外部鋸歯構造物の内側鋸歯部の外部鋸歯構造物の内側鋸歯領域を乗り越えられるのが好ましい。
【００１５】
前記外部鋸歯構造物の内側鋸歯部を構成する内側鋸歯の数と、前記内部鋸歯構造物の外側鋸歯部を構成する外側鋸歯の数の比は１：１であることが好ましい。
【００１６】
前記外部鋸歯構造物の内側鋸歯部を構成する内側鋸歯の数と、前記内部鋸歯構造物の外側鋸歯部を構成する外側鋸歯の数の比は１：ｎまたは１：１/ｎ（ｎは２以上４以下の自然
数）であり、前記外部鋸歯構造物の内側鋸歯部を構成する内側鋸歯の数が、前記内部鋸歯構造物の外側鋸歯部を構成する外側鋸歯の数より多い場合、前記内部鋸歯構造物の外側非鋸歯領域が前記内部鋸歯構造物の外側鋸歯領域より十分に大きく、前記内部鋸歯構造物の外側鋸歯の間に少なくとも２以上の外部鋸歯構造物の内側鋸歯が入ることができ、前記内
部鋸歯構造物の外側鋸歯部を構成する外側鋸歯の数が、前記外部鋸歯構造物の内側鋸歯部を構成する内側鋸歯の数より多い場合、前記外部鋸歯構造物の内側非鋸歯領域が前記外部鋸歯構造物の内側鋸歯領域より十分大きく、前記外部鋸歯構造物の内側鋸歯の間に少なくとも２以上の内部鋸歯構造物の外側鋸歯が入れるのが好ましい。
【００１７】
前記外部鋸歯構造物の内側鋸歯または前記内部鋸歯構造物の外側鋸歯の何れか１以上の鋸歯は、頂点を中心として左右対称であるのが好ましい。
【００１８】
前記外部鋸歯構造物の内側鋸歯または前記内部鋸歯構造物の外側鋸歯の何れか１以上の鋸歯は頂点を中心として、左右非対称であるのが好ましい。
【００１９】
前記外部鋸歯構造物の内側鋸歯及び前記内部鋸歯構造物の外側鋸歯が頂点を中心として左右非対称である場合、前記外部鋸歯構造物の内側鋸歯及び前記内部鋸歯構造物の外側鋸歯が対応される方式は、一方向への回転抵抗は最小化し、反対方向への回転抵抗を最大化する方式で対応されるのが好ましい。
【００２０】
前記外部鋸歯構造物は少なくとも２以上の外部鋸歯構造物の表面鋸歯を含む外部鋸歯構造物の表面鋸歯部をさらに含むか、前記内部鋸歯構造物は少なくとも２以上の内部鋸歯構造物の表面鋸歯を含む内部鋸歯構造物の表面鋸歯部をさらに含むのが好ましい。
【００２１】
前記外部鋸歯構造物の内側鋸歯の数と前記外部鋸歯構造物の表面鋸歯の数は同じであり、前記外部鋸歯構造物の内側鋸歯と前記外部鋸歯構造物の表面鋸歯が配列される方式は、前記外部鋸歯構造物の内側鋸歯と前記外部鋸歯構造物の表面鋸歯が同じ位置に配列される第１配列方式及び前記外部鋸歯構造物の内側鋸歯の間に前記外部鋸歯構造物の表面鋸歯が配列される第２配列方式の何れかであるのが好ましい。
【００２２】
前記外部鋸歯構造物の内側鋸歯の数と前記外部鋸歯構造物の表面鋸歯の数は異なっており、前記外部鋸歯構造物の内側鋸歯と前記外部鋸歯構造物の表面鋸歯が配列される方式は、前記外部鋸歯構造物の内側鋸歯の間に前記外部鋸歯構造物の表面鋸歯が配列される方式であるのが好ましい。
【００２３】
前記内部鋸歯構造物の外側鋸歯の数と前記内部鋸歯構造物の表面鋸歯の数は同じ又は、前記内部鋸歯構造物の外側鋸歯の数が前記内部鋸歯構造物の表面鋸歯の数より大きいのが好ましい。
【００２４】
前記内部鋸歯構造物は半円錐形であり、内部に少なくとも１以上の磁石が受容できる空間が磁石受容部を含むほど内部に予め設定された大きさ以上の内部空間を含んでいる形態であるのが好ましい。
【００２５】
前記内部鋸歯構造物は前記外部鋸歯構造物に完全に受容され、前記外部鋸歯構造物の内部面の下には引っかかり部があって前期内部鋸歯構造物が前記外部鋸歯構造物に受容される場合、前記引っかかり部の抵抗で抜けないようにするのが好ましい。
【００２６】
前記外部鋸歯構造物の外部形状は幅が広くて長さが短い円柱形であり、前期外部鋸歯構造物の内部形状は半円錐形の前記内部鋸歯構造物を受容できるようにする内部鋸歯構造物の受容空間部を含む形状であるのが好ましい。
【００２７】
前記外部鋸歯構造物の下部の周辺部には、前記外部鋸歯構造物が固定される対象物への固定力を強化する機能を行う固定力強化部がさらに含まれているのが好ましい。
【００２８】
前記固定力強化部は前記周辺部に形成される少なくとも１段以上の段差部を含むものであり、前記段差部は少なくとも１領域以上で前記外部鋸歯構造物の半径より大きい半径を有する部位を含み、前記段差部は少なくとも２種類以上の半径を有する部位を含むのが好ましい。
【００２９】
前記段差部は第１段差部及び少なくとも１以上の第２段差部を含んでおり、前記第１段差部の最大半径は前記第２段差部の最大半径より大きく、前記第１段差部は前記第２段差部より外部鋸歯構造物の表面鋸歯部により近く、前記第１段差部の前記外部鋸歯構造物の表面鋸歯部から遠くなる際に半径が狭くなる比率は、前記第２段差部の前記外部鋸歯構造物の表面鋸歯部から遠くなる際に半径が狭くなる比率より大きいのが好ましい。
【００３０】
本発明が解決しようとする課題を達成するために、前記鋸歯構造物を含むことを特徴とする玩具ブロックを提供する。
【００３１】
前記玩具ブロックは多面体であり、前記多面体を構成する多面の何れか一面以上には前記鋸歯構造物が装着されているのが好ましい。
【００３２】
前記多面体は少なくとも１以上の平面を必ず含んでおり、選択的に少なくとも１以上の曲面を含むのが好ましい。
【発明の効果】
【００３３】
本発明によれば、磁力によって結合するブロックの結合角を精密に調節することができる。
【００３４】
本発明によれば、ブロックの結合角が精密に調節され、ブロックらを結合することで生成される結合面またはブロックらが延長される面が色んな角度から見たときに滑らかであり、ブロック構成物の外部表面に凸凹がなく、滑らかである。
【図面の簡単な説明】
【００３５】
図１は本発明の一実施例による鋸歯構造物の分解斜視図である。
図２は本発明の一実施例による外部鋸歯構造物の外部を示す。
図３は本発明の一実施例による外部鋸歯構造物の内部を示す。
図４は本発明の一実施例による内部鋸歯構造物の外部を示す。
図５は本発明の一実施例による外部鋸歯構造物の内部と内部鋸歯構造物の外部が結合された状態を示す。
図６は外部鋸歯構造物の内側鋸歯と内部鋸歯構造物の外側鋸歯の比が１：２である本発明の一実施例である。
図７は外部鋸歯構造物の内側鋸歯と内部鋸歯構造物の外側鋸歯の比が２：１である本発明の一実施例である。
図８は結合角を微細に調節できるように、外部鋸歯構造の内側鋸歯が２４個、内部鋸歯構造物の外側鋸歯が２４個である本発明の一実施例である。
図９は外部鋸歯構造物の内側鋸歯領域と非鋸歯領域の比が１：４程度で、非鋸歯領域が広く形成された本発明の一実施例である。
図１０は外部鋸歯構造物の内側鋸歯領域と非鋸歯領域の比が１：４である場合、外部鋸歯構造物の内側鋸歯と鋸歯の間に２つの内部鋸歯構造物の外側鋸歯が存在する本発明の実施例である。
図１１は外部鋸歯構造物の内側鋸歯の形状が非対称、内部鋸歯構造物の外側鋸歯の形状は対称である本発明の実施例である。
図１２は外部鋸歯構造物の内側鋸歯の形状が非対称、内部鋸歯構造物の外側鋸歯の形状も非対称であるため、一方向への回転抵抗が最大かし、反対方向への回転抵抗は最小化され
る方式で非対称鋸歯方向が配列される本発明の実施例である。
図１３は段差部が形成されている外部鋸歯構造物を示す実施例である。
図１４は本発明の鋸歯構造物がブロックに嵌め込まれているのを示す本発明の玩具ブロックの実施例である。
図１５は本発明の他の実施例による磁石の備えられた玩具ブロックが相互締結された状態を示した断面図である。
図１６は図１５の本発明の他の実施例による鋸歯構造物が組み立てられた状態を示した斜視図である。
図１７は図１６の鋸歯構造物を分解して図示した分解斜視図である。
図１８は図１６の縦断面図である。
図１９は図１８の「Ｉ−Ｉ」線による線断面図である。
図２０は本発明のもう一つの実施例による鋸歯構造物の構造を図示した縦断面図である。図２１はブロックにおいて曲面があり、各平面には鋸歯構造物が差し込まれている形を示す。
図２２は２つのブロックの間に鋸歯構造物があり、ブロックの結合のために回転を微細に調節するのを示す本発明の実施例に係る使用様態を示す図面である。
図２３は多様な形のブロックとからなる本発明の玩具セットに対する実施例に係る図面である。
【発明を実施するための形態】
【００３６】
図１は本発明の一実施例の鋸歯構造物（１０）の分解斜視図である。図２は本発明の外部鋸歯構造物（１００）の外部を、図３は本発明の外部鋸歯構造物（１００）の内部を、図４は本発明の内部鋸歯構造物（２００）の外部を示す。本発明の鋸歯構造物（１０）は外部鋸歯構造物（１００）と内部鋸歯構造物（２００）に構成されている。前記外部鋸歯構造物（１００）の内部面の少なくとも１部分には外部鋸歯構造物の内側鋸歯部（１１０）が形成されており、前記内部鋸歯構造物（２００）の外部面の少なくとも一部分には前記外部鋸歯構造物の内側鋸歯部（１１０）に対応される内部鋸歯構造物の外側鋸歯部（２１０）が形成されている。前記内部鋸歯構造物（２００）の内部には磁石（４００）の受容できる磁石受容部（２３０）がある。前記磁石受容部（２３０）に受容される磁石の力によって、前記鋸歯構造物（１０）の装着されたブロック（３００）らが互いに結合するようになる。
【００３７】
図１乃至５で例示されるように、前記内部鋸歯構造物（２００）は、前記外部鋸歯構造物（１００）の内部に装着又は結合される。前記外部鋸歯構造物（１００）と前記内部鋸歯構造物（２００）との間には予め設定された間隔以上の遊隔空間が形成されている。前記遊隔空間を通じて前記内部鋸歯構造物（２００）は前記外部鋸歯構造物（１００）内で回転できるようになる。前記遊隔空間が小さすぎると、前記内部鋸歯構造物の外側鋸歯部（２１０）の内部鋸歯構造物の外側鋸歯（２１１−１）の鋸山が前記外部鋸歯構造物の内側鋸歯部（１１０）の外部鋸歯構造物の内側鋸歯（１１１−１）の鋸山を乗り越えることができない。従って、内部鋸歯構造物（２００）が回転しづらくなり、本発明の核心となる効果であるブロック結合角の微細な調節ができなくなる。一方、前記遊隔空間が大きすぎると、前記外部鋸歯構造物（１００）内で前記内部鋸歯構造物（２００）が適切な抵抗なく自由回転することになるため、本発明の核心となる効果であるブロック結合角の微細な調節ができなくなる。従って、前記遊隔空間は前記内部鋸歯構造物（２００）の自由回転を防止しながら、前記内部鋸歯構造物の外側鋸歯（２１１−１）が前記外部鋸歯構造物の内側鋸歯（１１１−１）を乗り越える際に、適切な抵抗を有するように保つのが好ましい。このために、前記内部鋸歯構造物の外側鋸歯（２１１−１）の鋸山をつなぐ仮想の外側線は、前記外部鋸歯構造物の内側鋸歯（１１１−１）の鋸山をつなぐ仮想の外側線の半径より大きい又は等しいのが好ましい。
【００３８】
図９乃至１０に示されているように、前記外部鋸歯構造物の内側鋸歯部（１１０）は、前記外部鋸歯構造物（１００）の内部面に沿って形成されており、前記外部鋸歯構造物の内側鋸歯部（１１０）は鋸歯が形成されている内側鋸歯領域（１１１）と鋸歯を有しない内側非鋸歯領域（１１２）に区分される。前記外部鋸歯構造物の内側非鋸歯領域（１１２）は内側鋸歯領域（１１１）と交互に形成されるのが好ましい。つまり、前記外部鋸歯構造物の内側鋸歯部（１１０）は鋸歯の隣に鋸歯のない構造である場合もある。前記外部鋸歯構造物の内側非鋸歯領域（１１２）が前記内部面に占める平面面積は、前記外部鋸歯構造物の内側鋸歯領域（１１１）が前記内部面に占める平面面積より予め設定された比率以上に大きいのが好ましい。その比率は１以上１０未満であり、好ましくは１を超過し４以下であるのか好ましい。
【００３９】
図１０に例示されているように、外部鋸歯構造物の内側鋸歯部（１１０）において鋸歯領域より非鋸歯領域の方が大きい場合には、前記内部鋸歯構造物の外側鋸歯部（２１０）は鋸歯領域が非鋸歯領域より大きい方が微細な角度調節により好ましい。つまり、前記外部鋸歯構造物の内側鋸歯部（１１０）において鋸歯が相対的に少ない場合には、前記内部鋸歯構造物の外側鋸歯部（２１０）の鋸歯は相対的に多いのが好ましい。この場合、外部鋸歯構造物の内側鋸歯部（１１０）の鋸歯１つが内部鋸歯構造物の外側鋸歯部（２１０）の多数の鋸歯を乗り越えるため、微細に角度を調節するのに有利である。
【００４０】
一方、前記内部鋸歯構造物の外側鋸歯部（２１０）は前記内部鋸歯構造物（２００）の外部面に沿って形成される。前記内部鋸歯構造物の外側鋸歯部（２１０）は鋸歯の形成された外側鋸歯領域（２１１）と鋸歯の有しない外側非鋸歯領域（２１２）に区分される。前記内部鋸歯構造物（２００）の外側非鋸歯領域（２１２）は外側鋸歯領域（２１１）と交互に形成されているのが好ましい。前記内部鋸歯構造物（２００）の外側非鋸歯領域（２１２）が前記内外部面に占める平面面積は前記内部鋸歯構造物の外側鋸歯領域（２１１）が前記外部面に占める平面面積より予め設定された比率以上に大きいのが好ましい。その比率は１以上１０未満であり、好ましくは１を超過し、４以下であることが望ましい。
【００４１】
前記内部鋸歯構造物の外側鋸歯部（２１０）において鋸歯が相対的に少ない場合には、前記外部鋸歯構造物の内側鋸歯部（１１０）の鋸歯が相対的に多いのが好ましい。この場合、内部鋸歯構造物の外側鋸歯部（２１０）の鋸歯１つが外部鋸歯構造物の内側鋸歯部（１１０）の多数の鋸歯を乗り越えるため、微細に角度を調節するのに有利である。
【００４２】
図６乃至７に例示されているように、前記外部鋸歯構造物の内側鋸歯部（１１０）鋸歯の数と前記内部鋸歯構造物の外側鋸歯部（２１０）の鋸歯の数の比は１：１である方式と、１：n又はn：１（nは２以上の定数）とがある。前記nは2以上４以下であることが好まし
い。ｎが４を超過すると、鋸歯の数の差が大きいため、微細に角度を調節することが難しくなる。
【００４３】
微細な角度調節のためには、外部鋸歯構造物（１００）と内部鋸歯構造物（２００）両方の鋸歯の数が多い方が良い。例えば、外部鋸歯構造物（１００）の鋸歯の数と内部鋸歯構造物（２００）の鋸歯の数が各々６つの場合より、外部鋸歯構造物（１００）の鋸歯の数と内部鋸歯構造物（２００）の鋸歯の数が１２個である方が良い。図８は外部鋸歯構造物の内側鋸歯（１１１−１）が２４個であり、内部鋸歯構造物の外側鋸歯（２２１−１）が２４個で、結合角をより精密に調節できる本発明の一実施例を例示している。しかし、外部鋸歯構造物（１００）の鋸歯の数と内部鋸歯構造物（２００）の鋸歯の数が多すぎると、外部鋸歯構造物（１００）や内部鋸歯構造物（２００）の大きさが制限されるため、鋸歯が極めて小さくなる。鋸歯が小さすぎると、鋸歯構造物（１０）を構成する鋸歯の材質による差はあるが、鋸歯の耐摩耗性や耐久性が落ちることになる。従って、鋸歯構造物（１０）の大きさによる鋸歯の数の適切な選択が実質的に重要である。
【００４４】
図１０のように、前記外部鋸歯構造物の内側鋸歯部（１１０）鋸歯の数が前記内部鋸歯構造物の外側鋸歯部（２１０）の鋸歯の数より多い場合、前記内部鋸歯構造物（２００）の外側非鋸歯領域（２２２）が外側鋸歯領域（２２１）より十分に大きいのが好ましい。例えば、前記内部鋸歯構造物の外側鋸歯（２２１−１）の間に少なくとも２以上の外部鋸歯構造物の内側鋸歯（１１１−１）が入れるものが好ましい。一方、前記内部鋸歯構造物の外側鋸歯部（２１０）を構成する外側鋸歯の数が前記外部鋸歯構造物の内側鋸歯部（１１０）を構成する内側鋸歯の数より多い場合、前記外部鋸歯構造物の内側非鋸歯領域（１１２）が前記外部鋸歯構造物の内側鋸歯領域（１１１）より十分に大きいのが好ましい。例えば、前記外部鋸歯構造物の内側鋸歯（１１１−１）の間に少なくとも２以上の内部鋸歯構造物の外側鋸歯（２２１−１）が入れるものが好ましい。
【００４５】
図１１乃至１２を参考にし、鋸歯の形状について説明する。図１１に示されているように前記外部鋸歯構造物の内側鋸歯（１１１−１）又は前記内部鋸歯構造物の外側鋸歯（２２１−１）の何れか１以上の鋸歯は、頂点を中心として左右対称である場合がある。前記外部鋸歯構造物の内側鋸歯（１１１−１）又は前記内部鋸歯構造物の外側鋸歯（２２１−１）の何れか１以上の鋸歯は頂点を中心として左右非対称である場合もある。鋸山の形状が非対称である場合、傾斜の激しい鋸歯側方向への回転は、傾斜の緩い鋸歯側方向への回転より回転抵抗がさらに大きい。例えば、図１１のように外部鋸歯構造物の内側鋸歯（１１１−１）の形状が非対称で、内部鋸歯構造物の外側鋸歯（２２１−１）は対称である場合、前記内部鋸歯構造物の外側鋸歯（２２１−１）が前記外部鋸歯構造物の内側鋸歯（１１１−１）を乗り越える際に、傾斜の激しい外部鋸歯構造物の内側鋸歯（１１１−１）を乗り越える際には相対的に回転抵抗が大きくなる。前記鋸歯構造物（１０）がブロック（３００）に装着されている場合、前記内部鋸歯構造物（２００）の磁石受容部（２３０）に受容される磁石によりブロック（３００）らが互いに結合される。時計回りへの結合角を微細に調節するために回転抵抗を少なくし、反時計回りへの結合角を微細に調節するための回転抵抗を大きくするためには、外部鋸歯構造物（１００）又は内部鋸歯構造物（２００）の何れかに非対称的鋸歯がある場合、このような非対称的鋸歯を適切に配置する必要がある。一方、一方向への回転抵抗をさらに大きくし、その反対方向への回転抵抗をさらに小さくするためには、図１２のように、外部鋸歯構造物（１００）と内部鋸歯構造物（２００）両方が非対称形の鋸歯を採用し、外部鋸歯構造物の内側鋸歯部（１１０）の非対称鋸歯の鋸歯方向と内部鋸歯構造物の外側鋸歯部（２１０）の非対称鋸歯の鋸歯方向をずれさせ、一方向へ回転する際に、傾斜の激しい外部鋸歯構造物の内側鋸歯（１１１−１）側が傾斜の激しい内部鋸歯構造物の外側鋸歯（２２１−１）側を乗り越えるように配置すると、その一方向への回転抵抗が最大化する。つまり、前記外部鋸歯構造物の内側鋸歯（１１１−１）及び前記内部鋸歯構造物の外側鋸歯（２２１−１）が頂点を中心として左右非対称である場合、前記外部鋸歯構造物の内側鋸歯（１１１−１）及び前記内部鋸歯構造物の外側鋸歯（２２１−１）が対応される方式は、一方向への回転抵抗は最小化し、反対方向への回転抵抗が最大化する方式で結合される。
【００４６】
前記内部鋸歯構造物（２００）の外部面の少なくとも一部分以上には、内部鋸歯構造物の表面鋸歯部（２２０）が形成されているのが好ましい。前記内部鋸歯構造物の表面鋸歯部（２２０）が形成されている位置はブロック（３００）の表面、つまり結合の対象となる相手ブロック（３００）と接する表面に形成されているのが良い。前記内部鋸歯構造物の表面鋸歯部（２２０）の鋸歯らはブロック（３００）との結合を固め、ブロック（３００）が回転する際に結合される部位（結合される位置、面対面、点対点、位置対位置）の変動を極小化する。もし、内部鋸歯構造物の表面鋸歯部（２２０）が形成されておらず、平らでのっぺりしていると、結合されている両ブロック（３００）の何れかを回転しようとする場合、ブロック（３００）の内部鋸歯構造物の表面鋸歯部（２２０）と相手ブロック（３００）の内部鋸歯構造物の表面鋸歯部（２２０）との結合部位の相対的位置が異なる
場合がある。従って、ブロックを結合する際に微細に角度を調整するのが難しくなる。前記内部鋸歯構造物の表面鋸歯部（２２０）が存在し、磁力によって結合する内部鋸歯構造物の表面鋸歯部（２２０）同士が強く噛み合っていないと、使用者の意図する程度の回転が容易でなく、微細に結合角を調節するのが難しい。
【００４７】
一方、前記外部鋸歯構造物（１００）の外部面のある一部分以上には外部鋸歯構造物の表面鋸歯部（１２０）が形成されている。ブロック（３００）の鋸歯構造物（１０）の前記外部鋸歯構造物の表面鋸歯部（１２０）は相手ブロック（３００）の鋸歯構造物（１０）の前記外部鋸歯構造物の表面鋸歯部（１２０）と結合し、両者の結合力を増大させる。前記外部鋸歯構造物の表面鋸歯部（１２０）は前記鋸歯構造物（１０）の装着されているブロック（３００）同士の面対面結合に使用される。このような構造は、結合されているブロック（３００）の結合が持続的に維持するのに寄与する。前記内部鋸歯構造物の表面鋸歯部（２２０）が形成される位置はブロック（３００）の表面、つまり結合の対象となる相手ブロック（３００）と接することのできる表面に形成されているのが良い。前記内部鋸歯構造物の表面鋸歯部（２２０）の鋸歯らはブロック（３００）との結合を固くし、ブロック（３００）が回転する際に結合部位（結合される位置、面対面、点対点、位置対位置）の変動を極小化する。もし、内部鋸歯構造物の表面鋸歯部（２２０）が形成されておらず、平らでのっぺりしていると、結合されている両ブロック（３００）の何れかを回転しようとする場合、ブロック（３００）の外部鋸歯構造物の表面鋸歯部（１２０）と相手ブロック（３００）の外部鋸歯構造物の表面鋸歯部（１２０）との結合部位の相対的位置が異なる場合もある。従って、連結されるブロックの微細な角度の調整が難しくなる。前記外部鋸歯構造物の表面鋸歯部（１２０）を備えて、外部鋸歯構造物の表面鋸歯部（１２０）同士が噛み合っていななければ、使用者の意図する程度の回転が容易でなく、微細に結合角を調節するのが難しい。
【００４８】
一方、前記外部鋸歯構造物の内側鋸歯（１１１−１）の数と前記外部鋸歯構造物の表面鋸歯（１２１−１）の数及び鋸歯の配列は同一、又は互いに独立的である場合もある。つまり、前記外部鋸歯構造物の内側鋸歯（１１１−１）の数と前記外部鋸歯構造物の表面鋸歯（１２１−１）の数は同一にできる。前記外部鋸歯構造物の内側鋸歯（１１１−１）と前記外部鋸歯構造物の表面鋸歯（１２１−１）が配列される方式は、前記外部鋸歯構造物の内側鋸歯（１１１−１）と前記外部鋸歯構造物の表面鋸歯（１２１−１）が同じ位置に配列される第１配列方式及び前記外部鋸歯構造物の内側鋸歯（１１１−１）の間に前記外部鋸歯構造物の表面鋸歯（１２１−１）が配列される第２配列方式の中の何れかを選ぶこともできる。一方、前記外部鋸歯構造物（１００）の内側鋸歯（１１１−１）の数と前記外部鋸歯構造物の表面鋸歯（１２１−１）の数は異なる場合がある。前記外部鋸歯構造物（１００）の内側鋸歯（１１１−１）と前記外部鋸歯構造物の表面鋸歯（１２１−１）が配列される方式は、前記外部鋸歯構造物（１００）の内側鋸歯の間に前記外部鋸歯構造物の表面鋸歯（１２１−１）が配列される方式である場合もある。
【００４９】
そして、前記内部鋸歯構造物の外側鋸歯（２１１−１）の数と前記内部鋸歯構造物の表面鋸歯（２２１−１）の数や鋸歯の配列は同一、又は互いに独立的である場合もある。前記内部鋸歯構造物の外側鋸歯（２１１−１）の数と前記内部鋸歯構造物の表面鋸歯（２２１−１）の数は同じである場合もある。しかし、内部鋸歯構造物の表面鋸歯部（２２０）の面積が内部鋸歯構造物の外側鋸歯部（２１０）の面積より小さい場合もある。この場合には前記内部鋸歯構造物の外側鋸歯（２１１−１）の数が表面鋸歯（２２１−１）の数より大きい方が望ましい。
【００５０】
図１から分かるように、前記内部鋸歯構造物（２００）は内部に少なくとも１以上の磁石の受容可能な空間が磁石受容部（２３０）を含むことのできる内部空間を含んでいるのが好ましい。前記内部空間は、磁石が自由回転できるぐらい十分大きくなければならない。
磁石の自由回転が保障されなければ、相手ブロック（３００）が近づく際に相手ブロック（３００）のNS位置に関係なくブロック（３００）を容易に結合できない。
【００５１】
前記内部鋸歯構造物（２００）の形態は、図１から分かるように、半円錐形であることが好ましい。切断された半円錐面の全部又は一部には内部鋸歯構造物の表面鋸歯部（２２０）が形成され、半円錐面の全部又は一部面には内部鋸歯構造物の外側鋸歯部（２１０）が形成される場合もある。
【００５２】
もちろん、前記内部鋸歯構造物（２００）は円筒型の場合もあり、円筒形状の上面の全部または一部には内部鋸歯構造物の表面鋸歯部（２２０）が形成される場合もあり、円筒形状の側面の全部又は一部面には内部鋸歯構造物の外側鋸歯部（２１０）が形成される場合もある。内部鋸歯構造物（２００）が円筒である場合、前記内部鋸歯構造物（２００）を受容する外部鋸歯構造物（１００）の内面も、前記内部鋸歯構造物の外側鋸歯部（２１０）の形状に対応される円筒形でなければならない。
【００５３】
図１から分かるように、前記外部鋸歯構造物（１００）の内部面の一部には前記内部鋸歯構造物（２００）の装着や結合を容易にし、装着または結合された内部鋸歯構造物（２００）が離脱されないようにする内部鋸歯構造物（２００）離脱防止手段が備えられている。前記内部鋸歯構造物（２００）離脱防止手段は前記外部鋸歯構造物（１００）の内部面の下部に前記内部面を一周する線に沿って形成されるのが好ましく、前記内部鋸歯構造物（２００）の離脱を効果的に防止するために引っかかり止め（１３０）の形態で形成されるのが好ましい。つまり、前記内部鋸歯構造物（２００）は前記外部鋸歯構造物（１００）に完全に受容され、前記外部鋸歯構造物（１００）の内部面の下部には引っかかり止め（１３０）があり、前記内部鋸歯構造物（２００）が前記外部鋸歯構造物（１００）に受容される場合、前記引っかかり止め（１３０）の抵抗により容易に外に脱出することができない。
【００５４】
前記外部鋸歯構造物（１００）と前記ブロック（３００）との間の固い結合が製品の品質と寿命に重要な役割を果たす。本発明においては固定力の強化部を通じて、前記外部鋸歯構造物（１００）が前記ブロック（３００）に長く結合されている技術を提供する。特に、前記ブロック（３００）の材質が木やプラスチックのようにある程度弾性を有する材質である場合には、前記外部鋸歯構造物（１００）が前記ブロック（３００）を脱出してしまうおそれがある。つまり、前記外部鋸歯構造物（１００）の固定力が強化されないと、ブロック（３００）製品の実質的寿命が長持ちしない。固定力を強化させる方法としては、前記外部鋸歯構造物（１００）の構造で調節する方法、前記外部鋸歯構造物（１００）が装着されるブロック（３００）の構造で調節する方法、両者の構造で調節する方法、接着剤やその他接着を強化する材料を用いる方法などがある。
【００５５】
図１３の例示とともに、本発明では外部鋸歯構造物（１００）の構造で固定力を強化する方法として、外部鋸歯構造物（１００）に段差部（１４０）が形成される構造を提供する。前記外部鋸歯構造物（１００）の下部の周辺部には、前記外部鋸歯構造物（１００）が固定される対象であるブロック（３００）への固定力を強化する固定力強化部がさらに含まれているのが好ましい。前記固定力強化部は、前記周辺部に形成される少なくとも１段以上の段差部（１４０）を含む。好ましくは、前記段差部（１４０）は少なくとも１領域以上において前記外部鋸歯構造物（１００）の半径より大きい半径を有する部位を含む。
【００５６】
前記段差部（１４０）は少なくとも２種類以上の半径を有する部位を含むものが、結合力をさらに強化できるため好ましい。前記段差部（１４０）は第１段差部（１４１）及び少なくとも１以上の第２段差部（１４２）を含み、前記第１段差部（１４１）の最大半径は前記第２段差部（１４２）の最大半径より大きい。前記第１段差部（１４１）は前記第２
段差部（１４２）より外部鋸歯構造物の表面鋸歯部（１２０）側により近い。前記第１段差部（１４１）の前記外部鋸歯構造物の表面鋸歯部（１２０）から遠くなる際に半径が狭くなる比率は、前記第２段差部（１４２）の前記外部鋸歯構造物の表面鋸歯部（１２０）から遠くなる際に半径が狭くなる比率より大きいのが好ましい。
【００５７】
もちろん、前記外部鋸歯構造物（１００）が装着されるブロック（３００）側にも前記１段又は２段の段差部を効果的に受容できる段差構造が形成されるのが良い。前記ブロック（３００）側の段差は前記外部鋸歯構造物（１００）に形成されている段差部（１４０）と反対形状に形成されるのが好ましい。このようなブロック（３００）の段差構造は、前記外部鋸歯構造物（１００）の離脱を効果的に防止できる。
【００５８】
図１４のように、本発明の鋸歯構造物（１０）は木材、プラスチック又はその他非磁性材質の玩具ブロック（３００）に使用できる。前記玩具ブロック（３００）は多面体であり、前記多面体を構成する多面の何れか一面以上には前記鋸歯構造物（１０）が装着できる。前記多面体は少なくとも１以上の平面を必ず含んでおり、選択的に少なくとも１以上の曲面を含むこともできる。
【００５９】
一方、図１５は本発明の他の実施例による磁石装着構造の備えられた玩具ブロックが相互締結された構造を図示した平面図である。図１６は図１５の本発明の一つの実施例による鋸歯構造物が組み立てられた構造を図示した斜視図である。図１７は図１６の鋸歯構造物を分解して図示した分解斜視図である。図１８は図１６の縦断面図である。図１９は図１８の「Ｉ−Ｉ」線による断面図である。図２０は本発明の他の実施例による鋸歯構造物の構造を図示した縦断面図である。
【００６０】
これら図面に図示されているとおり、本発明の実施例による鋸歯構造物は玩具ブロック（２０）の複数の箇所に形成された磁石受容溝（２１）に磁石とともに備えられ、前記玩具ブロックが互いに接合できるように締結力を提供する。前記鋸歯構造物は外部鋸歯構造物（５００）と内部鋸歯構造物（６００）を含む。外部鋸歯構造物（５００）は１側面が開口形成され、１つの側面と対向する他側面に前記磁石（４００）が外部に露出される露出孔（５１０）が貫通形成される。前記外部鋸歯構造物（５００）は前記磁石受容溝（２１）の内面と接触されるように前記磁石受容溝（２１）に挿入される。前記内部鋸歯構造物（６００）は前記外部鋸歯構造物（５００）の内部に前記外部鋸歯構造物（５００）の高さ方向に沿って移動可能に配置され、前記玩具ブロックが互いに接合する際に前記内部鋸歯構造物（６００）の上段の一部が前記露出孔（５１０）を通じて外部に突出される。前記内部鋸歯構造物（６００）の１つの側に前記磁石受容溝（２１）に前記磁石が受容された状態が維持されるように離脱防止部（６１０）を備える。
【００６１】
磁石（４００）によって互いに締結できる玩具ブロック（２０）は、多角形状の断面を有するように形成された多面体構造であれば如何なる形状でも構わないが、本実施例においては立方体状に形成されている。
【００６２】
そして、玩具ブロック（２０）の外面に形成された磁石受容溝（２１）は４つの面にそれぞれ１つずつ形成されており、その内部には磁石（４００）が受容されている。
【００６３】
磁石受容溝（２１）を４方向に配置することで、玩具を縦方向のみならず横方向にも組み立てることができ、自由な方向に組み立てられるようにできる。
【００６４】
磁石受容溝（２１）の深さと直径はその内部に受容される磁石（４００）が色んな方向に回転できるほどの深さと直径を有するように形成されるのが好ましく、磁石受容溝（２１）の一側内壁にはかかり溝（２１a）が形成され、外部鋸歯構造物（５００）が磁石受容
溝（２１）に挿入された状態が保てるようにする。
【００６５】
磁石（４００）は円筒状に形成され、磁石受容溝（２１）に受容される。磁石同士の結合力を高めるために、隣り合う玩具ブロックに含まれた磁石と直接接触できるように角部は丸く面取りされている。
【００６６】
角部を丸く面取りされることで磁石（４００）の一部が露出孔（５１０）を通じて外部に突出され、隣り合う磁石と直接接触され、離脱防止部（６１０）によって磁石受容溝（２１）から離脱されないようにできる。
【００６７】
外部鋸歯構造物（５００）は磁石受容溝（２１）にその側面が接触されるように挿入結合され、外部鋸歯構造物（５００）の内部に配置された内部鋸歯構造物（６００）が外部に離脱されないようにする。
【００６８】
外部鋸歯構造物（５００）の１つの側面は内部鋸歯構造物（６００）に内部に配置されるように開口形成され、１つの側面の対向側には磁石（４００）が外部に露出される露出孔（５１０）が貫通形成されている。
【００６９】
露出孔（５１０）は磁石（４００）より相対的に小さい直径を有するように形成されることで、磁石受容溝（２１）に受容された磁石（４００）が磁石受容溝（２１）の外部に離脱されないようにするのが好ましい。
【００７０】
露出孔（５１０）周縁部の外部鋸歯構造物（２００）には、その版面が折曲形成された折曲部（５２０）が形成されている。このような折曲部（５２０）は内部鋸歯構造物（６００）の引っかかり部（６３０）と接触され、内部鋸歯構造物（６００）が外部鋸歯構造物（５００）の外部に離脱されるのを防止できる。
【００７１】
そして、引っかかり部（６３０）と接触される折曲部（５２０）の下面には外部鋸歯構造物の内側鋸歯（５２１）が形成されている。
【００７２】
外部鋸歯構造物（５００）の外面には引っかかり突起（５３０）が外部鋸歯構造物（５００）の直径方向に沿って突出形成されている。前記引っかかり突起（５３０）が磁石受容溝（２１）の引っかかり溝（２１ａ）に結合され、外部鋸歯構造物（５００）が磁石受容溝（２１）から離脱されないようにする。
【００７３】
そして、引っかかり突起（５３０）の外面は外部鋸歯構造物（５００）を磁石受容溝（２１）に挿入する際に挿入動作が円滑に進められるように二重傾斜角を有する折曲面（５３１）が形成されている。
【００７４】
内部鋸歯構造物（６００）は外部鋸歯構造物（６００）の内部に配置され、玩具ブロック（２０）が接合されているか否かかによって選択的に外部鋸歯構造物（５００）の高さ方向に沿って上昇・下降する。
【００７５】
内部鋸歯構造物（６００）の１つの側には、その内部に備えられる磁石（４００）が磁石受容溝（２１）から外部に離脱されないようにする別途の離脱防止部（６１０）が備えられる。この離脱防止部（６１０）はその下面が磁石（４００）の角部と対応する形状で丸く形成され、内部鋸歯構造物（６００）の半径方向に沿って一定の長さ突出するように内部鋸歯構造物（６００）の上部内側壁に形成された離脱防止止め（６１１）に構成できる。
【００７６】
離脱防止どめ（６１１）の下面が磁石（４００）の角部と対応する形状で丸く形成されることで、玩具ブロックを接合する際に磁石の一部が外部に突出され、隣り合う磁石と直接接触することができ、玩具ブロックとの締結力を高める。
【００７７】
内部鋸歯構造物（６００）の上面には、玩具ブロック（２０）が互いに接合する際に露出孔（５１０）を通じて外部に突出される突出部（６２０）と、外部鋸歯構造物（５００）の折曲部（５２０）と噛み合う引っかかり部（６３０）が形成されている。
【００７８】
そして、引っかかり部（６３０）と接触される折曲部（５２０）の下面には鋸歯形状の外部鋸歯構造物の内側鋸歯（５２１）が形成されている。引っかかり部（６３０）の上面には外部鋸歯構造物の内側鋸歯（５２１）と噛み合う内部鋸歯構造物の外側鋸歯（６３１）が形成されている。
【００７９】
外部鋸歯構造物の内側鋸歯（５２１）と内部鋸歯構造物の外側鋸歯（６３１）は玩具ブロックが相互接合する際に互いに噛み合う。このような外部鋸歯構造物の内側鋸歯（５２１）と内部鋸歯構造物の外側鋸歯（６３１）によって、玩具ブロックを好きな角度で回転させながら玩具ブロックを組み立てることができる。
【００８０】
突出部（６２０）の上部には玩具ブロック（２０）が互いに接合する際に隣り合う突出部（６２０）に形成された突出鋸歯（６２１）と噛み合う鋸歯形状の突出鋸歯（６２１）が形成されている。
【００８１】
突出鋸歯（６２１）も外部鋸歯構造物の内側鋸歯（５２１）及び内部鋸歯構造物の外側鋸歯（６３１）と同様、玩具ブロックが互いに接合する際に隣り合う突出鋸歯（６２１）と噛み合い、玩具ブロックを好きな角度で回転させ、玩具ブロックを組み立てることができる。
【００８２】
このような内部鋸歯構造物の外側鋸歯（６３１）の鋸歯と突出鋸歯（６２１）は放射方向に沿って互いに重ならないように交互に配置されるのが好ましい。
【００８３】
これは玩具ブロックを互いに接合する際に、微細な角度調節が行われるようにすると同時に、玩具ブロックが接合された状態で回転させる場合「ガチッ」と音がより多く発生するようにし、子供たちが玩具ブロックを組み立てる際に楽しさをたくさん感じるようにするためである。
【００８４】
内部鋸歯構造物（６００）の１つの側には内部鋸歯構造物（６００）が外部鋸歯構造物（５００）の内部で回転するのを防止できる別途の転覆防止部（６４０）が備えられている。
【００８５】
転覆防止部（６４０）は外部鋸歯構造物（５００）の内面と接触される内部鋸歯構造物（６００）の外面の高さが一定の高さ以上になるように内部鋸歯構造物（６００）の下段にその高さ方向に沿って一定の長さで延長された延長部材（６４１）とからなる。
【００８６】
前記延長部材（６４１）によって内部鋸歯構造物（６００）の外面の高さを外部鋸歯構造物（５００）の内面の高さに比べて一定の高さ以上になるようにすることで、外部鋸歯構造物（５００）の内部に配置された内部鋸歯構造物（６００）が上昇・下降時に１つの側に傾き、転覆されるのが防止できる。
【００８７】
そして、延長部材（６４１）の内面には磁石受容溝（２１）に受容された磁石（４００）の一面が前記露出孔（５１０）を通じて外部に露出される際、磁石（４００）の移動を案
内するガイド溝（６４１ａ）が湾曲形成されている。
【００８８】
ガイド溝（６４１ａ）は延長部材（６４１）の底部面から外部鋸歯構造物（５００）の露出孔（５１０）に向かって上向きに丸く形成されることで、玩具ブロック（２０）らが接合する際に磁石（４００）の１つの側面がガイド溝（６４１ａ）に沿って摺動しながら露出孔（５１０）を通じて外部に露出されるようにする。
【００８９】
上記のような構成を有する本発明の一実施例による鋸歯構造物の備えられた玩具ブロックを組み立てる過程は次のとおりである。
【００９０】
玩具ブロック（２０）を組み立てる際、玩具ブロック（２０）同士の距離が近くなると磁石（４００）の側面が延長部材（６４１）に形成されたガイド溝（６４１ａ）にそってスライディング移動しながら磁石（４００）の縁が内部鋸歯構造物（６００）の上側に備えられた離脱防止止め（６１１）と接触される。
【００９１】
そして、玩具ブロック（２０）との距離が近くなるにつれ磁石（４００）間の引力によって磁石（４００）が内部鋸歯構造物（６００）を上側に押し上げ、内部鋸歯構造物（６００）の突出部（６２０）が外部鋸歯構造物（５００）の露出孔（５１０）を通じて外部に突出され、同時に外部鋸歯構造物の内側鋸歯（５２１）と内部鋸歯構造物の外側鋸歯（６３１）が互いに噛み合うようになる。
【００９２】
玩具ブロック（２０）が完全に密着される際に、磁石（４００）の１つの側面が外部鋸歯構造物（５００）の露出孔（５１０）を通じて外部に露出され、磁石（４００）と磁石（４００）が接合され玩具ブロックが互いに結合される。この時、突出鋸歯（６２１）が隣り合う玩具ブロックの突出鋸歯と噛み合うようになる。
【００９３】
このような状態で玩具ブロック（２０）を回転させると、外部鋸歯構造物の内側鋸歯（５２１）と内部鋸歯構造物の外側鋸歯（６３１）及び突出鋸歯（６２１）と隣り合う突出鋸歯と噛み合うことで「ガチッ」とする音が発生し、玩具ブロック（２０）が回転する。子供たちは好きな角度で玩具ブロック（２０）を接合することができる。
【００９４】
図２０は本発明の他の実施例による鋸歯構造物の構造を図示した縦断面図である。本発明の実施例による鋸歯構造物と同一部分については同じ参照符号を付与し、それに対する詳細な説明は省くことにする。
【００９５】
図２０に図示したとおり、本発明の他の実施例による鋸歯構造物は外部鋸歯構造物の内側鋸歯（５２１）と内部 鋸歯構造物の外側鋸歯（６３１）が各々形成された外部鋸歯構造
物（５００）と内部鋸歯構造物（６００）の接触面は露出孔（５１０）に向かって上向きに傾くように形成されている。
【００９６】
このような傾いた構造によって外部鋸歯構造物の内側鋸歯（５２１）と内部鋸歯構造物の外側鋸歯（６３１）の結合が容易になる。また、互いに接合された状態で玩具ブロックを回転させる際に内部鋸歯構造物（６００）の上下方向に移動幅を狭くすることで滑らかに回転できる。
【００９７】
図２１に例示されているように、本発明の前記鋸歯構造物（１０）は前記多面体の平面の何れか１以上の平面に装着されるのが一般的であるが、特別な場合、前記鋸歯構造物（１０）は曲面にも装着される場合もある。
【００９８】
図２２に例示されているように、本発明によれば２つのブロック（３００）の間に本発明
の鋸歯構造物（１０）が備えられ、ブロック（３００）を正確に結合し、好きなように結合するために結合角を微細に調節することができる。従って、図２３に例示されているように、本発明の鋸歯構造物（１０）が装着された多数個のブロック（３００）を含むことができる。ブロック（３００）らを結合する際に、結合角を微細に調節できる玩具セットを構成することも可能である。
【図１】
0005940158.tif 000002
【図２】
0005940158.tif 000003
【図３】
0005940158.tif 000004
【図４】
0005940158.tif 000005
【図５】
0005940158.tif 000006
【図６】
0005940158.tif 000007
【図７】
0005940158.tif 000008
【図８】
0005940158.tif 000009
【図９】
0005940158.tif 000010
【図１０】
0005940158.tif 000011
【図１１】
0005940158.tif 000012
【図１２】
0005940158.tif 000013
【図１３】
0005940158.tif 000014
【図１４】
0005940158.tif 000015
【図１５】
0005940158.tif 000016
【図１６】
0005940158.tif 000017
【図１７】
0005940158.tif 000018
【図１８】
0005940158.tif 000019
【図１９】
0005940158.tif 000020
【図２１】
0005940158.tif 000021
【図２２】
0005940158.tif 000022
【図２３】
0005940158.tif 000023
【図２０】
0005940158.tif 000024